(57)【要約】【課題】フレコンバッグ内の粉粒体を能率よく吸引搬送するための手段を提供する。【解決手段】適宜形状の中空ケースを設け、該ケースに対し上下にスライド可能なる吸引筒を設けるとともに、ケース下部側面に空気噴射のための噴射ノズルを設けたことを特徴とする。【選択図】図４
2011084398.tif 000002
【特許請求の範囲】
【請求項１】
適宜形状の中空ケースを設け、該ケースに対し上下にスライド可能なる吸引筒を設けるとともに、ケース下部側面に空気噴射のための噴射ノズルを設けたことを特徴とする粉粒体吸引搬送機。
【請求項２】
適宜形状のフレームを立設し、該フレーム上部から請求項１の粉粒体吸引搬送機を昇降可能に斜方に吊下させたことを特徴とする粉粒体吸引搬送装置。
【発明の詳細な説明】
【技術分野】
【０００１】  この発明は、フレキシブルコンテナバッグ（粉末や粒状物の荷物を保管・運搬するための袋状の包材。略称フレコンバッグ）内の粉粒体を残さず効率よく搬送するための吸引式搬送機とこの搬送機を用いた吸引搬送装置に関する。
【背景技術】
【０００２】  従来より、フレコンバッグ内の粉粒体の搬送時は、吸引型の搬送機を用いて人力にて行っており、手間と労力を要するものであるが、より能率よく搬送するための手段が求められている。本発明は上記に鑑み、フレコンバッグ内容物を自動方式にて能率よく吸引搬送するための機械と装置を提供することを目的として発明され、開発されたものである。
【発明の開示】
【発明が解決しようとする課題】
【０００３】  既述のように、従来法では人による作業のため、時間と労力を要し、また作業者の技量に左右されるものである。機械を用いて吸引搬送する場合において、吸引ノズルをフレコンバッグ内に単に挿入するだけでは十分な効果を発揮し得ない。すなわち、粉粒体はその粒子摩擦のために、原形状を保持しようとする力が働き、吸引後にはその残留物はフレコンバッグ内壁近傍にドーナツ状の形状として残るのである。
この課題を解決するために本発明では、吸引部分を若干傾きを与えて吊り下げた状態にてフレコンバッグ内を上下させることにより着地位置が可変になり、かつ空気噴射ノズルを設けて、この噴射空気と吸引搬送機の落下力にて内容物を崩して吸引するものとした。これにより、フレコンバッグ内の粉粒体は壁を作らずにバッグ内に崩れて堆積するので、バッグ内の粉粒体を残さず能率よく吸引搬送できるものとなったのである。
【課題を解決するための手段】
【０００４】  課題を解決する手段として本発明は以下の構成とした。
すなわち、本発明の一つは、適宜形状の中空ケースを設け、該ケースに対し上下にスライド可能なる吸引筒を設けるとともに、ケース下部側面に空気噴射のための噴射ノズルを設けたことを特徴とする粉粒体吸引搬送機である。また、本発明の他の一つは、適宜形状のフレームを立設し、該フレーム上部から粉粒体吸引搬送機を昇降可能に若干傾きを与えて吊下させたことを特徴とする粉粒体吸引搬送装置である。
【発明の効果】
【０００５】  本発明は下記の効果を有する。
１．粉粒体の吸引手段と、粉粒体に対する空気噴射手段の双方を有するため、フレコンバ  ッグ内容物に対する能率的な搬送手段を得ることができる。
２．ガードフレームを付加することにて、搬送作業の支障となる粉粒体の相互摩擦による  フレコンバッグ内の付着堆積を緩和することができる。
３．吸引筒上部に空気流入孔を設けることにて、フレコンバッグ内への空気出入りを調整  して、円滑な吸引搬送作業を進めることができる。
４．粉粒体吸引搬送機を、若干傾きを与えて吊下した状態にて昇降させることにより、着  地位置が可変になり、かつ、結果として粉粒体への噴射位置、角度ともランダムになり  、従ってラットホール等を作らずに、より有効なる吸引搬送を行うことができる。
【発明を実施するための最良の形態】
【０００６】  以下、本発明の実施形態について説明する。
図において、１は吸引搬送機である。２は該搬送機の主要構成部材であるケースで、ステンレス板を筒状に設け、その下部には中空逆円錐台形部分を設けて形成される。
３は蓋板で、中央に孔を有し、ケース上縁に固着される環状のフランジ板４の上面に位置する環状ゴム板によるパッキン５の上面に接して位置し、雄ねじを備えた環状部を有するワイヤー保持具６による共締めにて各々固定される。蓋板の孔に一致して固定筒７が蓋板上面に固着されるが、この固定筒側面には六等配に空気流入孔８が穿設される。
また、蓋板適所に孔が穿設され、この孔に、複数のチューブ取付部を有するホースアダプター９が取り付けられる。ホースアダプターには噴射ホース１０が圧入される。
１１はガイド筒で、その下端は開放され、上縁には有孔の板が固着される。また、ガイド筒側面適所には六等配に孔が穿設されるが、この孔径は前記の空気流入孔と同一である。
１２は吸引筒で、その上部はガイド筒上縁蓋板内に位置し、下部にはガイド体１３が三等配に固着されて、ガイド筒内を摺動可能に位置している。この吸引筒上部には吸引ホース１４が取り付けられる。１５は雄ねじを有するガイド筒固定つまみで、固定筒側面適所に刻設される雌ねじにナットを介して固定され、このつまみをゆるめることにて固定筒に対してガイド筒は自由となり、その上下方向及び回転方向が自由となる。１６は吸引筒固定つまみで、ガイド筒固定つまみと同様構成であり、ガイド筒側面適所に刻設される雌ねじに螺合して、ガイド筒に対する吸引筒の位置固定と解除が可能である。
１７は噴射ノズルで、ケース下部の斜面に穿設される孔に固定される。この噴射ノズルと前記ホースアダプター間は接続チューブ１８にて各々接続され、この噴射ノズルは六等配に設けられる。【０００７】  １９は折曲丸棒によるガードフレームで、ケース側面に三等配にその上部が固着される。
なお、該ガイドフレーム下部端は、ケース中央下方に位置する底環体２０に固着される。
吸引筒外径は底環体内径より小さいため、底環体内を出入り可能である。
２１は環状の保持体で、Ｏリングを有し、ガイド筒下部側面にＯリングを接して位置し、該保持体はケースの斜方下端に固着される。
以上にて、吸引搬送機が構成される。
次に、搬送装置について説明する。
図において、３０は基台で、該基台上面にコ字形のメインフレーム３１が立設される。
３２は吊下枠体で、可動式の吊下ワイヤー３３にて水平に吊下される。この吊下枠体には適宜支持部材を介してフレコンバッグ３４が吊下される。吸引搬送機１は既述の吊下ワイヤー保持具を介して可動式のワイヤー３５にて吊下される。なお、吸引ホースと噴射ホースが該搬送機に各々取り付けられ、吸引ホース端はブロワーに、噴射ホース端はエアーコンプレッサーに各々接続される。なお、メインフレーム内には複数のエアーシリンダーが内蔵され、ワイヤー３３と３５の巻き取りと巻き戻しが可能である。すなわち、シリンダーロッド端の滑車にワイヤーが取り付けられ、メインフレーム内の滑車を介して、メインフレーム適所に穿設された孔よりワイヤーを吊下している。従って、シリンダーロッドの伸縮にて各ワイヤー長は変化する。３６は制御盤で、メインフレームに設けられ、電力が供給される。【０００８】  図８に示すように、４０はワイヤー吊下用のエアーシリンダー、４１はメインフレームに取り付けられる支持部材、４２は該支持部材の孔に挿通して位置する軸体で、その上端は膨大している。４３は支持部材端に固着される環体で、この環体に前記ワイヤー３５の端部が固定される。４４は圧縮コイルスプリングで、その内部に軸体４２が位置する。
４５は支持部材上部に設けられる近接スイッチで、制御盤と結線される。なお、これらの各部材はメインフレーム内に設けられる。
以上の構成にて、ワイヤー３５の張力が低下すると、圧縮コイルスプリングの復帰力にて軸体４２は上方へ移動し、近接スイッチに接近して信号が制御盤へ送られ、制御盤から指令が発せられてエアーシリンダーが制御される。
次に、本発明の使用について説明する。
図５は吸引作業開始前の状態である。メインフレーム上方の孔より吊下ワイヤーが下垂して、ここに吊下枠体が取り付けられ、この吊下枠体に適宜金具を介して粉粒体を内在したフレコンバッグが取り付けられる。吸引搬送機はフレーム上方の孔より下垂するワイヤーにて吊下されるが、吊下金具にて長さの異なる三本のワイヤーに振り分けられて斜方に垂下する。なお、メインフレームには複数のエアーシリンダー（図示略）が内蔵され、シリンダーロッド端には既述の各ワイヤー端が各々取り付けられ、該フレーム内の滑車を介してメインフレーム上部の孔より各ワイヤーが垂下している。
図５は初期セット状態であり、制御盤のメインスイッチ投入にて通電状態となり、他スイッチ投入にて作動が開始する。シリンダー駆動にて吊下ワイヤーは上昇し、フレコンバッグは徐々に上方へと移動しようとするが、作業開始時は粉粒体の重量のため、フレコンバッグ底部は基台に接している。ブロワー駆動にて吸引ホースを介して吸引筒内は負圧となり、吸引筒下端より外気が吸引され、エアーコンプレッサー駆動にて噴射ホースおよび接続チューブを介して噴射ノズルより外気が間欠的に噴射される。図７のごとく吸引搬送機とフレコンバッグ内在物とはやがて接近位置となり、吸引筒下端からの空気吸引と共に粉粒体は吸引され、吸引ホースを通ってブロワーに至り、貯留場所へと搬送される。
吸引筒下端よりやや離れた位置に堆積している粉粒体は空気噴射にて飛散してフレコンバッグ内中央寄り位置に移動し、吸引される。フレコンバッグの上昇と吸引搬送機の下降は、制御盤内のタイマーにて制御される。従って、初期設定後は自動的に目的場所へ吸引搬送される。
内在物搬送により、フレコンバッグ内は空となるので、吸引搬送機及び吊下枠体を初期位置へと戻し、フレコンバッグ交換後、既述の手段にて再び作業を行うことができる。【０００９】  本装置の作動は、図９にて示すように、吸引搬送機の下降にて吸引口は粉粒体に接触して吸引搬送を行うが、ワイヤー下降にて吸引搬送機は倒れて傾斜し、このとき吸引搬送機を吊下しているワイヤーの張力は低下するので、既述のごとく近接スイッチが作動してエアーシリンダーロッドの動きにてワイヤーを引き上げてからその上昇を停止させ、再び下降が始まる。すなわち、粉粒体に対して吸引搬送機は上昇と下降の反復を行う。
なお、吸引は作業中継続し、空気噴射はタイマー設定にて間欠的に行われる。
なお、本装置は基本的に制御盤によるタイマー設定にて運転され、上述の吸引搬送機の倒れとタイマー設定時間とのいずれか早いほうにて該搬送機の下降停止位置が決定される。また、フレコンバッグ吊下はエアーシリンダーにて常時張力が加えられ、吸引搬送にて内容物が減少してその重量が設定値以下になると徐々に上方へ移動し、吊下枠体が設定位置に至ればエアーシリンダーの下限センサー（図示略）にて運転は自動停止となる。
本発明にては、吸引搬送機の斜方吊下とガードフレームが特徴的要素である。
既述の手段にてフレコンバッグ内在物は吸引搬送されるが、既述のように粒子間摩擦のために、吸引筒下端近傍の粉粒体は吸引されるが、フレコンバッグ内壁近傍には粉粒体が略ドーナツ状に堆積し、このままでは吸引不能である。そのために、本発明では噴射ノズルからの空気噴射手段を設けて、この噴射空気を粉粒体に当てることにてその形状を崩して飛散中央堆積を行い、既述の問題を解決するものとしたのであるが、さらに効率を上げるために、斜方吊下とした。これは図５にて示すように、吸引搬送機を吊下したもので、フレコンバッグに対して噴射ノズル方向は非対称となり、また、メインフレームからはまず一本のワイヤーにて吊下された後に長さの違う三本に振り分けられるために、吸引搬送機の落下位置がランダムに変化し、かつ吸引搬送機の上昇と下降に伴い吸引搬送機には揺動と回動が発生する。すなわち、粉粒体に対する空気噴射方向はランダムに変化し、堆積物形状を崩してフレコンバッグ内中央寄りに移動させることができるために、能率よく残さず吸引搬送することができる。
また、ガードフレームが吸引搬送機最下部に位置するとともに、ケースより外方に張り出して位置し、この張り出し部分が外方の堆積物に接触してその形状を崩すこととなり、これにても前述同様の効果を得ることができる。なお、固定筒上部側面とガイド筒上部側面には空気流入孔が設けられ、その孔位置を一致させることにて、この孔より流入した空気は吸引筒外面とガイド筒内面間を通って吸引筒下端より吸引される。吸引筒下端からの空気吸引量と噴射ノズルからの空気噴射量とに差がある場合、その調和を図る目的でこの空気流入孔が設けられたのであり、固定筒に対するガイド筒の回動にてこの空気流入面積が変化し、最適条件を設定することができる。【００１０】  以上、本発明について説明したが、本発明はフレコンバッグ内に対する空気の噴射と吸引を行うところにその特徴を有するものである。従来はこのような手段がなく、吸引装置を人力にて直に操作するために、非能率的で作業者の技量に左右されるものであったが、本発明にてこれが解消されるものとなったのである。
また、既述例のごとく、吸引搬送機の斜方吊下、ガードフレームの装備にてさらに能率よく搬送できるものとなったのである。なお、図３の例は、ケース面に対し噴射ノズルを、側面視三角形状有孔の斜方スペーサー２３を用いて斜方に取り付ける例を示したものであり、各ノズルに摘要することにて、噴射方向のランダム度を向上させる効果を有するものである。既述の例は実施の一例であり、近似の他の構成としてもよい。
以上のごとく、本発明にて安全かつ能率的に粉粒体を吸引搬送するための手段を提供することができる。
【図面の簡単な説明】
【００１１】
【図１】  本発明の粉粒体吸引搬送機の正面図（吊下状態）
【図２】  本発明の粉粒体吸引搬送機の平面図（吊下関係略）
【図３】  本発明の粉粒体吸引搬送機における噴射ノズルの他例説明図
【図４】  本発明の粉粒体吸引搬送機の内部構造説明図（一部略）
【図５】  本発明の粉粒体吸引搬送装置の正面図（セット状態）
【図６】  本発明の粉粒体吸引搬送装置の右側面図（セット状態）
【図７】  本発明の粉粒体吸引搬送装置の機能説明図（一部略）
【図８】  本発明の要部構造説明図
【図９】  本発明の作動手順説明図
【符号の説明】
【００１２】  １    吸引搬送機
２    ケース
３    蓋板
４    フランジ板
５    パッキン
６    ワイヤー保持具
７    固定筒
８    空気流入孔
９    ホースアダプター
１０  噴射ホース
１１  ガイド筒
１２  吸引筒
１３  ガイド体
１４  吸引ホース
１５  ガイド筒固定つまみ
１６  吸引筒固定つまみ
１７  噴射ノズル
１８  接続チューブ
１９  ガードフレーム
２０  底環体
２１  保持体
２２  吊下金具
２３  斜方スペーサー
３０  基台
３１  メインフレーム
３２  吊下枠体
３３  吊下ワイヤー
３４  フレコンバッグ
３５  ワイヤー
３６  制御盤
４０  エアーシリンダー
４１  支持部材
４２  軸体
４３  環体
４４  圧縮コイルスプリング
４５  近接スイッチ
【図１】
2011084398.tif 000003
【図２】
2011084398.tif 000004
【図３】
2011084398.tif 000005
【図４】
2011084398.tif 000006
【図５】
2011084398.tif 000007
【図６】
2011084398.tif 000008
【図７】
2011084398.tif 000009
【図８】
2011084398.tif 000010
【図９】
2011084398.tif 000011